(57)【特許請求の範囲】
【請求項１】
筒状のフード部を有する一方のコネクタハウジングと、
筒状の筒部と、該筒部内に収容され且つ端子金具を収容する本体部と、を有する他方のコネクタハウジングと、を備え、
前記フード部が前記筒部内に挿入され、且つ、前記フード部内に前記本体部を位置付けて、前記一方のコネクタハウジングと他方のコネクタハウジングとが嵌合するコネクタにおいて、
前記フード部が、前記筒部内への挿入方向の先端部から離れた基端部の内周面に、前記先端部から前記基端部に向かうにしたがって徐々に当該フード部の内周方向に向かって傾斜した傾斜面を備え、
前記本体部が、前記フード部と相対する一端部の外周面に前記傾斜面と当接する当接面を備え、
前記筒部と前記本体部との間に、これら筒部と本体部とを連結するとともに、前記一方及び他方のコネクタハウジング同士が嵌合した際に、前記当接面を前記傾斜面に押圧するように前記本体部を前記フード部に向かって付勢する弾性部を備え、
前記弾性部は、環状の弾性部本体と、該弾性部本体の外周面と前記筒部の内周面とを連結し且つ前記本体部を挟んで相対する複数の第１連結部と、前記弾性部本体の内周面と前記本体部の外周面とを連結し且つ前記本体部を挟んで相対する複数の第２連結部と、を備えていることを特徴とするコネクタ。
【請求項２】
前記複数の第１連結部の相対する方向と前記複数の第２連結部の相対する方向とが直交するように配されていることを特徴とする請求項１に記載のコネクタ。
【請求項３】
前記複数の第１連結部は、それぞれ、前記フード部から離れる方向に向かって前記弾性部本体から延出するように形成されていることを特徴とする請求項２に記載のコネクタ。
【請求項４】
前記フード部は、該フード部の外周面から突出した凸部を備え、
前記筒部は、該筒部の内周面から突出し且つ前記一方及び他方のコネクタハウジング同士の嵌合した際に前記凸部と係合するロック突起を備え、
前記凸部と前記傾斜面との距離と、前記ロック突起と前記当接面との距離とが、前記凸部と前記ロック突起とが互いに係合した際に、前記弾性部の弾性復元力に抗して前記本体部を前記フード部の前記挿入方向に押す寸法に形成されていることを特徴とする請求項１乃至請求項３に記載のコネクタ。
【発明の詳細な説明】
【技術分野】
【０００１】
本発明は、電線の接続等に使用されるコネクタに関し、特に耐振動構造を備えたコネクタに関する。
【背景技術】
【０００２】
移動体としての自動車には、多種多様な電子機器が搭載されており、この電子機器はワイヤハーネスを介して、自動車や他の電子機器と接続されている。そして、これらの電子機器とワイヤハーネスとは、それぞれが備えたコネクタ同士が嵌合することにより接続されている。
【０００３】
コネクタは、コネクタハウジングと、該コネクタハウジングに収容される端子金具と、を備えている。コネクタ同士が嵌合すると、それぞれのコネクタハウジング内の端子金具が電気的に接続する。
【０００４】
前述したコネクタとして、例えば、エンジンルーム等の過酷な振動条件下で用いられる、耐振動構造を備えたコネクタ（例えば、特許文献１参照。）が提案されている。特許文献１に開示されたコネクタは、一方のコネクタハウジングと、該一方のコネクタハウジングと嵌合する他方のコネクタハウジングと、を備えている。
【０００５】
一方のコネクタハウジングは、底壁と周壁とを有する有底筒状に形成され且つ内側に端子金具を収容する。また、一方のコネクタハウジングの周壁の内周面には、底壁から離れるのにしたがって徐々に当該周壁の外周方向に向かって傾斜した傾斜面が設けられている。
【０００６】
他方のコネクタハウジングは、インナハウジングと、該インナハウジングの外側に設けられたアウタハウジングと、これらインナハウジングとアウタハウジングとの間に介在するコイルバネと、を備えている。
【０００７】
インナハウジングは、箱状に形成され且つ内側に端子金具を収容する。また、インナハウジングの外周面には、一方及び他方のコネクタハウジング同士が嵌合した際に、前述した一方のコネクタハウジングの傾斜面と当接する当接面が設けられている。
【０００８】
アウタハウジングは、筒状に形成され且つインナハウジングを一方及び他方のコネクタハウジング同士の嵌合方向に沿って移動自在に保持する。コイルバネは、一対設けられており、一方及び他方のコネクタハウジング同士が嵌合した際に、インナハウジングを一方のコネクタハウジングに向かって付勢する。
【０００９】
前述した構成のコネクタは、他方のコネクタハウジングのアウタハウジングとインナハウジングとの間に一方のコネクタハウジングの周壁が挿入されて、一方のコネクタハウジング内にインナハウジングを位置付けるとともに、一方のコネクタハウジングの傾斜面とインナハウジングの当接面とが当接することで、一方及び他方のコネクタハウジング同士が嵌合する。そして、コイルバネが、インナハウジングを一方のコネクタハウジングに向かって付勢することで、一方のコネクタハウジングの傾斜面にインナハウジングの当接面が押圧されるため、これら一方のコネクタハウジングと他方のコネクタハウジングとのガタつきを抑制する。
【特許文献１】特開２００６−２４４５８号公報
【発明の開示】
【発明が解決しようとする課題】
【００１０】
しかしながら、前述した特許文献１に開示されたコネクタは、一方のコネクタハウジングと他方のコネクタハウジングとが互いに嵌合した際に、コイルバネが他方のコネクタハウジングのインナハウジングを一方のコネクタハウジングに向かって付勢することで、一方のコネクタハウジングの傾斜面にインナハウジングの当接面を押圧させて、これら一方のコネクタハウジングと他方のコネクタハウジングとのガタつきを抑制していた。このため、部品点数及び組み付け作業工数が増加するという問題があった。
【００１１】
したがって、本発明は、部品点数及び組み付け作業工数を増加させることなく、簡単な構造で一方及び他方のコネクタハウジング同士のガタつきを抑えて、端子金具の導通不良を防ぐことができるコネクタを提供することを目的とする。
【課題を解決するための手段】
【００１２】
前記課題を解決し目的を達成するために、請求項１に記載された発明は、筒状のフード部を有する一方のコネクタハウジングと、筒状の筒部と、該筒部内に収容され且つ端子金具を収容する本体部と、を有する他方のコネクタハウジングと、を備え、前記フード部が前記筒部内に挿入され、且つ、前記フード部内に前記本体部を位置付けて、前記一方のコネクタハウジングと他方のコネクタハウジングとが嵌合するコネクタにおいて、前記フード部が、前記筒部内への挿入方向の先端部から離れた基端部の内周面に、前記先端部から前記基端部に向かうにしたがって徐々に当該フード部の内周方向に向かって傾斜した傾斜面を備え、前記本体部が、前記フード部と相対する一端部の外周面に前記傾斜面と当接する当接面を備え、前記筒部と前記本体部との間に、これら筒部と本体部とを連結するとともに、前記一方及び他方のコネクタハウジング同士が嵌合した際に、前記当接面を前記傾斜面に押圧するように前記本体部を前記フード部に向かって付勢する弾性部を備え、前記弾性部は、環状の弾性部本体と、該弾性部本体の外周面と前記筒部の内周面とを連結し且つ前記本体部を挟んで相対する複数の第１連結部と、前記弾性部本体の内周面と前記本体部の外周面とを連結し且つ前記本体部を挟んで相対する複数の第２連結部と、を備えていることを特徴とするコネクタである。
【００１３】
請求項２に記載された発明は、請求項１に記載された発明において、前記複数の第１連結部の相対する方向と前記複数の第２連結部の相対する方向とが直交するように配されていることを特徴とするものである。
【００１４】
請求項３に記載された発明は、請求項２に記載の発明において、前記複数の第１連結部は、それぞれ、前記フード部から離れる方向に向かって前記弾性部本体から延出するように形成されていることを特徴とするものである。
【００１５】
請求項４に記載された発明は、請求項１乃至請求項３のうち何れか一項に記載の発明において、前記フード部は、該フード部の外周面から突出した凸部を備え、前記筒部は、該筒部の内周面から突出し且つ前記一方及び他方のコネクタハウジング同士の嵌合した際に前記凸部と係合するロック突起を備え、前記凸部と前記傾斜面との距離と、前記ロック突起と前記当接面との距離とが、前記凸部と前記ロック突起とが互いに係合した際に、前記弾性部の弾性復元力に抗して前記本体部を前記フード部の前記挿入方向に押す寸法に形成されていることを特徴とするものである。
【００１６】
請求項１に記載された発明によれば、フード部が筒部内への挿入方向の先端部から離れた基端部の内周面に、先端部から基端部に向かうにしたがって徐々に当該フード部の内周方向に向かって傾斜した傾斜面を備え、且つ、本体部がフード部と相対する一端部の外周面に該フード部の傾斜面と当接する当接面を備えており、筒部と本体部との間に、これら筒部と本体部とを連結するとともに、一方及び他方のコネクタハウジング同士が嵌合した際に、当接面を傾斜面に押圧するように本体部をフード部に向かって付勢する弾性部を備えているので、フード部の傾斜面と本体部の当接面との間に常に荷重をかけることができる。また、他方のコネクタハウジングの筒部と本体部とが弾性部によって連結されているので、筒部からの振動を本体部に伝わり難くすることができる。
【００１７】
請求項２に記載された発明によれば、弾性部が、円環状の弾性部本体と、該弾性部本体の外周面と筒部の内周面とを連結し且つ本体部を挟んで相対する複数の第１連結部と、弾性部本体の内周面と本体部の外周面とを連結し且つ本体部を挟んで相対する複数の第２連結部と、を備えているとともに、複数の第１連結部の相対する方向と複数の第２連結部の相対する方向とが直交するように配されているので、フード部が本体部を該フード部の挿入方向に向かって押圧した際に、弾性部に対して複数の第２連結部がフード部の挿入方向へ荷重をかけるとともに、複数の第１連結部がフード部の挿入方向と反対方向に荷重をかけることができる。このため、弾性部にフード部の挿入方向と反対方向への弾性復元力を生じさせることができ、よって、弾性部が本体部をフード部に向かって付勢することができる。
【００１８】
請求項３に記載された発明によれば、複数の第１連結部が、それぞれ、フード部から離れる方向に向かって弾性部本体から延出するように形成されているので、フード部が本体部を該フード部の挿入方向に向かって押圧した際に、弾性部に対して複数の第１連結部がフード部の挿入方向と反対方向に荷重をよりかけることができる。このため、弾性部にフード部の挿入方向と反対方向への弾性復元力をより生じさせることができる。
【００１９】
請求項４に記載された発明によれば、フード部が当該フード部の外周面から突出した凸部を備え、且つ、筒部が当該筒部の内周面から突出し且つ一方及び他方のコネクタハウジング同士が嵌合した際にフード部の凸部と係合するロック突起を備えているとともに、凸部と傾斜面との距離と、ロック突起と当接面との距離とが、凸部とロック突起とが互いに係合した際に、弾性部の弾性復元力に抗して本体部をフード部の挿入方向に押す寸法に形成されているので、フード部を筒部内に挿入して、凸部及びロック突起同士を係合させることで、フード部の傾斜面と本体部の当接面との間に常に荷重をかけることができる。
【発明の効果】
【００２０】
以上説明したように、請求項１に記載の本発明は、フード部の傾斜面と本体部の当接面との間に常に荷重をかけることができる。また、他方のコネクタハウジングの筒部と本体部とが弾性部によって連結されているので、筒部からの振動を本体部に伝わり難くすることができる。このため、一方のコネクタハウジングのフード部と他方のコネクタハウジングの本体部とがガタつくことを抑えることができる。したがって、部品点数及び組み付け作業工数を増加させることなく、簡単な構造で一方のコネクタハウジングと他方のコネクタハウジングとのガタつきを抑えて、端子金具の摩耗等による導通不良を防ぐことができる。
【００２１】
請求項２に記載の本発明は、フード部が本体部を該フード部の挿入方向に向かって押圧した際に、弾性部に対して複数の第２連結部がフード部の挿入方向へ荷重をかけるとともに、複数の第１連結部がフード部の挿入方向と反対方向に荷重をかけることができる。このため、弾性部にフード部の挿入方向と反対方向への弾性復元力を生じさせることができ、よって、弾性部が本体部をフード部に向かって付勢することができる。したがって、一方のコネクタハウジングのフード部と他方のコネクタハウジングの本体部とがガタつくことを抑えることができる。
【００２２】
請求項３に記載の本発明は、フード部が本体部を該フード部の挿入方向に向かって押圧した際に、弾性部に対して複数の第１連結部がフード部の挿入方向と反対方向に荷重を確実にかけることができる。このため、弾性部にフード部の挿入方向と反対方向への弾性復元力を確実に生じさせることができる。したがって、一方のコネクタハウジングのフード部と他方のコネクタハウジングの本体部とがガタつくことを確実に抑えることができる。
【００２３】
請求項４に記載の本発明は、フード部を筒部内に挿入して、凸部及びロック突起同士を係合させることで、フード部の傾斜面と本体部の当接面との間に常に荷重をかけることができる。このため、部品点数及び組み付け作業工数を増加させることなく、簡単な構造で一方のコネクタハウジングのフード部と他方のコネクタハウジングの本体部とのガタつきを抑えることができる。
【発明を実施するための最良の形態】
【００２４】
以下、本発明の一実施形態にかかるコネクタを図１乃至図６を参照して説明する。本発明の一実施形態にかかるコネクタ１は、図１に示すように、雄型のコネクタハウジング（以下、雄ハウジングと呼ぶ）２と、雌型のコネクタハウジング（以下、雌ハウジングと呼ぶ）３と、を備えている。
【００２５】
なお、本実施形態において、雄ハウジング２は特許請求の範囲に記載の一方のコネクタハウジングに相当し、雌ハウジング３は他方のコネクタハウジングに相当する。
【００２６】
雄ハウジング２は、絶縁性の合成樹脂等で形成されており、図１に示すように、端子収容部４と、該端子収容部４に連なる筒状のフード部５とを一体に備えている。雄ハウジング２は、内部に電線９の端末に取り付けられた図示しない雄型の端子金具（以下、雄端子と呼ぶ）を複数収容する。なお、図１に示す電線９は、図２乃至図６において図示を省略する。
【００２７】
雄端子は、導電性の板金などからなり、図示しない電線と接続される電線接続部と、該電線接続部に連なる角柱状の雄タブとを一体に備えている。この雄タブは、雄ハウジング２と雌ハウジング３とが嵌合した際に、該雌ハウジング３の後述する本体部７の端子収容室２８内に侵入して、該端子収容室２８内の雌端子と電気的及び機械的に接続する。
【００２８】
端子収容部４は、複数の外壁１０を有した箱状に形成されており、内側に前述した雄端子の主に電線接続部を収容する。
【００２９】
フード部５は、端子収容部４の外壁１０に連なり且つ該端子収容部４から雌ハウジング３に向かって延びた複数の周壁１１を備えて角筒状に形成されている。フード部５は、内側に前述した雄端子の主に雄タブを収容する。フード部５は、周壁１１の端子収容部４から離れた側、即ち雌ハウジング３の後述する筒部２０内に挿入される挿入方向の先端部１２側が、当該フード部５即ち雄ハウジング２の外表面に開口している。フード部５は、内側に雌コネクタ３の後述する本体部７を収容し且つ該雌コネクタ３の後述する筒部６内に収容される。
【００３０】
また、フード部５には、傾斜面１５と、凸部１６とが設けられている。傾斜面１５は、フード部５の周壁１１の端子収容部４と連なる基端部１３側の内周面１４ａに、該周壁１１の全周に亘って設けられている。傾斜面１５は、周壁１１の先端部１２から基端部１３に向かうにしたがって徐々に当該フード部５の内周方向に向かって傾斜して形成されている。この傾斜面１５は、雄及び雌ハウジング２，３同士の嵌合方向Ｋ（図１中などに矢印で示す）に対して傾斜している。
【００３１】
凸部１６は、フード部５の周壁１１の外周面１４ｂから該フード部５即ち雄ハウジング２の外方向に突出し且つ角柱状に形成されている。凸部１６は、該凸部１６の周壁１１の基端部１３側の端部の傾斜面１５の所定の径寸法Ｄ（図５に示す）からの距離Ｌ２が、雌ハウジング３の後述する筒部６に設けられたロック突起２３のフード部５から離れた側の端部の本体部７の当接面２９の所定の径寸法Ｄ（図３に示す）からの距離Ｌ１よりも短くなる位置に配されている。なお、雄ハウジング２の傾斜面１５の所定の径寸法Ｄと、雌ハウジング３の後述する本体部７の当接面２９の所定の径寸法Ｄとは、略等しい寸法である。
【００３２】
また、凸部１６には、当該凸部１６の周壁１１の先端部１２側の端部に、周壁１１の先端部１２に近づくにしたがって徐々に該周壁１１に近づく方向に傾斜したテーパ面１７が設けられている。このテーパ面１７は、雄及び雌ハウジング２，３同士の嵌合方向Ｋ（図１中などに矢印で示す）に対して傾斜している。
【００３３】
そして、凸部１６は、雄及び雌ハウジング２，３同士が嵌合した際に、雌ハウジング３の後述する筒部６に設けられたロック突起２３と係合して、雄ハウジング２と雌ハウジング３との嵌合を保持する。なお、前述した嵌合方向Ｋとは、雄及び雌ハウジング２，３同士が嵌合する際に、これらの雄及び雌ハウジング２，３同士が近づく方向である。
【００３４】
雌ハウジング３は、絶縁性の合成樹脂等で形成されており、図１又は図２に示すように、外側に筒状に形成された筒部６と、該筒部６内に収容され且つ箱状に形成された本体部７と、これら筒部６と本体部７とを連結する弾性部としてのばね部８と、を備えている。
【００３５】
筒部６は、複数の周壁２０を有した各筒状に形成されている。筒部６は、周壁２０の長手方向の両端部が当該筒部６、即ち雌ハウジング３の外表面に開口している。筒部６は、内側に本体部７を収容するとともに、周壁２０の内周面２１が本体部７の後述する外周面２７と間隔をあけて配されている。また、筒部６には、ロック突起２３が設けられている。
【００３６】
ロック突起２３は、図１又は図３などに示すように、筒部６の図中上方に位置する一つの周壁２０の内周面２１から突出して形成されている。ロック突起２３は、該ロック突起２３のフード部５から離れた側の端部の本体部７の後述する当接面２９の所定の径寸法Ｄ（図３に示す）からの距離Ｌ１が、前述した雄ハウジング２の凸部１６の周壁１１の基端部１３側の端部の傾斜面１５の所定の径寸法Ｄ（図５に示す）からの距離Ｌ２よりも長くなる位置に配されている。そして、ロック突起２３は、雄及び雌ハウジング２，３同士が嵌合した際に、雄ハウジング２の前述した凸部１６と係合して、雄ハウジング２と雌ハウジング３との嵌合を保持する。
【００３７】
また、ロック突起２３が設けられた筒部６の前記一つの周壁２０には、図１に示すように、当該一つの周壁２０がロック突起２３の外側を縁取るようにコ字状に切り欠かれて形成された切欠部２２が設けられており、この切欠部２２が設けられることによって、前記一つの周壁２０の切欠部２２の内側の部分２０ａが筒部６の外側に撓んで、ロック突起２３を筒部６の外側へ変位させることができる。
【００３８】
本体部７は、図１又は図２に示すように、角柱状に形成されている。また、本体部７の外周面２７には、該外周面２７から外側方向に突出した段差２７ａが形成されている。本体部７は、内部に互いに並設された複数の端子収容室２８が設けられている。本体部７は、各々の端子収容室２８に電線の端末に取り付けられた図示しない雌型の端子金具（以下、雌端子と呼ぶ）を収容する。
【００３９】
複数の端子収容室２８は、それぞれ、本体部７内に設けられた直線状の空間であり、長手方向が前述した雄及び雌ハウジング２，３同士の嵌合方向Ｋと平行に形成されている。複数の端子収容室２８は、それぞれ、長手方向の両端が本体部７即ち雌ハウジング３の外表面に開口している。複数の端子収容室２８は、互いに平行に配置されている。端子収容室２８の内面には、可撓性を有して雌端子と係止可能な係止ランス（図示せず）が設けられており、このランスが雌端子に係止することで、端子収容室２８内から該雌端子が抜け出ることを規制する。
【００４０】
雌端子は、導電性の金属で構成され、複数設けられている。雌端子は、筒状の電気接触部と、該電気接触部に連なる電線接続部とを一体に備えている。電気接触部は、内側に前述した雄端子の雄タブが侵入して、該雄タブ即ち雄端子と電気的及び機械的に接続する。電線接続部は、電線（図示せず）が取り付けられて、該電線の芯線と電気的に接続する。
【００４１】
また、本体部７には、図１乃至図４に示すように、前述したフード部５の傾斜面１５と当接する当接面２９が設けられている。当接面２９は、本体部７の雄ハウジング２のフード部５と相対する一端部２５の外周面２７に、該本体部７の全周に亘って設けられている。当接面２９は、本体部７の一端部２５から該本体部７のフード部５から離れた他端部２６に向かうにしたがって徐々に当該本体部７の外周方向に向かって傾斜しているとともに、フード部５の傾斜面１５に面接触するように形成されている。この当接面２９は、前述した雄及び雌ハウジング２，３同士の嵌合方向Ｋ（図１中などに矢印で示す）に対して傾斜している。
【００４２】
ばね部８は、筒部６と本体部７との間に設けられているとともに、角環状に形成された弾性部本体としてのばね部本体３０と、該ばね部本体３０の外周面３１と筒部６の周壁２０の内周面２１とを連結する第１連結部３３と、ばね部本体３０の内周面３２と本体部７の外周面２７とを連結する第２連結部３４とを備えている。
【００４３】
第１連結部３３は、図２乃至図４に示すように、略角柱状に形成されており、一端がばね部本体３０の外周面３１に連なり且つ他端が筒部６の周壁２０の内周面２１に連なっている。第１連結部３３は、前述した雄ハウジング２のフード部５から離れる方向に向かってばね部本体３０から延出するように形成されている。
【００４４】
また、第１連結部３３は、図２に示すように、本体部７を挟んで相対するように複数設けられており、図示例では４つ設けられている。複数の第１連結部３３は、図示例では、筒部６の図中上方に位置する一つの周壁２０とばね部本体３０との間に、前述した嵌合方向Ｋと直交する方向即ち筒部６及びばね部８の幅方向に間隔をあけて２つ配置されているとともに、筒部６の図中下方に位置する他の一つの周壁２０とばね部本体３０との間に、嵌合方向Ｋと直交する方向即ち筒部６及びばね部８の幅方向に間隔をあけて２つ配置されている。即ち、複数の第１連結部３３は、筒部６及びばね部８の厚さ方向（図中上下方向）に本体部７を挟んで相対している。
【００４５】
第２連結部３４は、図２乃至図４に示すように、略角柱状に形成されている。第２連結部３４は、長手方向の一端がばね部本体３０の内周面３２に連なり且つ他端が本体部７の外周面２７の段差２７ａに連なっているとともに、当該第２連結部３４の長手方向が前述した嵌合方向Ｋに対して傾斜するように形成されている。
【００４６】
また、第２連結部３４は、図２又は図４に示すように、本体部７を挟んで相対するように複数設けられており、図示例では一対設けられている。一対の第２連結部３４は、前述した嵌合方向Ｋと直交する方向即ち筒部６及びばね部８の幅方向に相対するとともに、互いの間に本体部７を挟むように配置されている。
【００４７】
そして、前述した構成のばね部８は、図２に示すように、複数の第１連結部３３が、筒部６及びばね部８の厚さ方向（図中上下方向）に本体部７を挟んで相対しているとともに、一対の第２連結部３４が、筒部６及びばね部８の幅方向（図中左右方向）に本体部７を挟んで相対している。即ち、複数の第１連結部３３の相対する方向と、一対の第２連結部３４の相対する方向とが直交するように配されている。
【００４８】
前述した構成のコネクタ１を組み立てる際には、まず、雄ハウジング２の端子収容部４内に電線付きの雄端子を収容する。そして、雌ハウジング３の本体部７の端子収容室２８内に電線付の雌端子を収容する。このとき、端子収容室２８内に設けられた係止ランスが雌端子に係止して、端子収容室２８内から雌端子が抜け出ることを規制する。
【００４９】
次に、図１に示すように、雄ハウジング２と雌ハウジング３とを相対させる。そして、雄ハウジング２と雌ハウジング３とを互いに近づけていき、雌ハウジング３の筒部６と本体部７との間に雄ハウジング２のフード部５の周壁１１の先端部１２を挿入させていく。
【００５０】
すると、雌ハウジング３の筒部６に設けられたロック突起２３が、雄ハウジング２のフード部５に設けられた凸部１６のテーパ面１７に当接して、該テーパ面１７に沿ってスライドすることで、筒部６の周壁２０の切欠部２２の内側の部分２０ａが弾性変形して、当該ロック突起２３が凸部１６に乗り上げる。このとき、雄ハウジング２のフード部５の基端部１３の内周面１４ａに設けられた傾斜面１５に、雌ハウジング３の本体部７の一端部２５に設けられた当接面２９が当接する。
【００５１】
さらに、雄ハウジング２と雌ハウジング３とを近づけていくと、図６に示すように、雌ハウジング３の筒部６のロック突起２３が雄ハウジング２のフード部５に設けられた凸部１６を乗り越えて、これらロック突起２３と凸部１６とが係合する。
【００５２】
すると、雄ハウジング２のフード部５が雌ハウジング３の本体部７を該フード部５の挿入方向に向かって押圧する。そして、本体部７がフード部５の挿入方向に向かって押圧されると、筒部６と本体部７とを連結するばね部８のばね部本体３０に対して複数の第２連結部３４がフード部５の挿入方向へ荷重をかけるとともに、複数の第１連結部３３がフード部５の挿入方向と反対方向に荷重をかけることで、ばね部８にフード部５の挿入方向と反対方向への弾性復元力が生じて、該ばね部８が本体部７をフード部５に向かって付勢する。
【００５３】
このとき、雄ハウジング２の端子収容部４内に収容された雄端子の雄タブが、雌ハウジング３の端子収容室２８内に収容された雌端子の電気接触部内に侵入して、雄端子と雌端子とが電気的及び機械的に接続する。こうして、雄ハウジング２と雌ハウジング３とが嵌合して、コネクタ１が組み立てられる。
【００５４】
前述のように雄ハウジング２と雌ハウジング３とが嵌合すると、図６又は図７に示すように、雄ハウジング２のフード部５の凸部１６と雌ハウジング３の筒部６のロック突起２３とが互いに係合することで、雄ハウジング２のフード部５の傾斜面１５が雌ハウジング３の本体部７の当接面２９を該フード部５の挿入方向に押圧するとともに、雌ハウジング３のばね部８の弾性復元力によって本体部７を前記挿入方向と反対方向に、即ちフード部５に向かって付勢する。
【００５５】
こうして、雌ハウジング３のばね部８により本体部７を雄ハウジング２のフード部５に向かって付勢することにより、雄ハウジング２のフード部５と雌ハウジング３の本体部７とがガタつくことを防ぐ。
【００５６】
本実施形態によれば、フード部５が筒部６内への挿入方向の先端部１２から離れた基端部１３の内周面１４ａに、先端部１２から基端部１３に向かうにしたがって徐々に当該フード部５の内周方向に向かって傾斜した傾斜面１５を備え、且つ、本体部７がフード部５と相対する一端部２５の外周面２７に該フード部５の傾斜面１５と当接する当接面２９を備えており、筒部６と本体部７との間に、これら筒部６と本体部７とを連結するとともに、雄及び雌ハウジング２，３同士が嵌合した際に、当接面２９を傾斜面１５に押圧するように本体部７をフード部５に向かって付勢するばね部８を備えている。
【００５７】
このため、フード部５の傾斜面１５と本体部７の当接面２９との間に常に荷重をかけることができる。また、雌ハウジング３の筒部６と本体部７とがばね部８によって連結されているので、筒部６からの振動を本体部７に伝わり難くすることができる。このため、雄ハウジング２のフード部５と雌ハウジング３の本体部７とがガタつくことを抑えることができる。したがって、部品点数及び組み付け作業工数を増加させることなく、簡単な構造で雄ハウジング２と雌ハウジング３とのガタつきを抑えて、端子金具の摩耗等による導通不良を防ぐことができる。
【００５８】
また、ばね部８が、円環状のばね部本体３０と、該ばね部本体３０の外周面３１と筒部６の内周面２１とを連結し且つ本体部７を挟んで相対する複数の第１連結部３３と、ばね部本体３０の内周面３２と本体部７の外周面２７とを連結し且つ本体部７を挟んで相対する複数の第２連結部３４と、を備えているとともに、複数の第１連結部３３の相対する方向と複数の第２連結部３４の相対する方向とが直交するように配されている。
【００５９】
このため、フード部５が本体部７を該フード部５の挿入方向に向かって押圧した際に、ばね部８に対して複数の第２連結部３４がフード部５の挿入方向へ荷重をかけるとともに、複数の第１連結部３３がフード部５の挿入方向と反対方向に荷重をかけることができる。このため、ばね部８にフード部５の挿入方向と反対方向への弾性復元力を生じさせることができ、よって、ばね部８が本体部７をフード部５に向かって付勢することができる。したがって、雄ハウジング２のフード部５と雌ハウジング３の本体部７とがガタつくことを抑えることができる。
【００６０】
さらに、複数の第１連結部３３が、それぞれ、フード部５から離れる方向に向かってばね部本体３０から延出するように形成されているので、フード部５が本体部７を該フード部５の挿入方向に向かって押圧した際に、ばね部８に対して複数の第１連結部３３がフード部５の挿入方向と反対方向に荷重を確実にかけることができる。このため、ばね部８にフード部５の挿入方向と反対方向への弾性復元力を確実に生じさせることができる。したがって、雄ハウジング２のフード部５と雌ハウジング３の本体部７とがガタつくことを確実に抑えることができる。
【００６１】
また、フード部５が当該フード部５の外周面１４ｂから突出した凸部１６を備え、且つ、筒部６が当該筒部６の内周面２１から突出し且つ雄及び雌ハウジング２，３同士が嵌合した際にフード部５の凸部１６と係合するロック突起２３を備えているとともに、凸部１６と傾斜面１５との距離Ｌ２と、ロック突起２３と当接面２９との距離Ｌ１とが、凸部１６とロック突起２３とが互いに係合した際に、ばね部８の弾性復元力に抗して本体部７をフード部５の挿入方向に押す寸法に形成されている。
【００６２】
このため、フード部５を筒部６内に挿入して、凸部１６及びロック突起２３同士を係合させることで、フード部５の傾斜面１５と本体部７の当接面２９との間に常に荷重をかけることができる。このため、部品点数及び組み付け作業工数を増加させることなく、簡単な構造で雄ハウジング２のフード部５と雌ハウジング３の本体部７とのガタつきを抑えることができる。
【００６３】
前述した実施形態では、コネクタ１は、雄ハウジング２のフード部５の傾斜面１５と雌ハウジング３の本体部７の当接面２９とが面接触するように形成して構成されていた。しかしながら、本発明は、図８に示すように、傾斜面１５に対して当接面２９の本体部７の他端部２６側の外周縁が当接するように形成して構成されていても良く、また、図９に示すように、傾斜面１５に対して当接面２９の本体部７の一端部２５側の外周縁が当接するように形成して構成されていても良い。
【００６４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６５】
【図１】本発明の一実施形態にかかるコネクタを示す分解斜視図である。
【図２】図１に示されたコネクタの雌ハウジングを示す正面図である。
【図３】図２中のＩＩＩ−ＩＩＩ線に沿う断面図である。
【図４】図２中のＩＶ−ＩＶ線に沿う断面図である。
【図５】図１に示されたコネクタの雄ハウジングを示す断面図である。
【図６】図３に示された雌ハウジングに雄ハウジングが嵌合した状態を示す断面図である。
【図７】図４に示された雌ハウジングに雄ハウジングが嵌合した状態を示す断面図である。
【図８】図６に示された雌ハウジングの当接面の変形例を示す断面図である。
【図９】図６に示された雌ハウジングの当接面の別の変形例を示す断面図である。
【符号の説明】
【００６６】
１      コネクタ
２      雄ハウジング（一方のコネクタハウジング）
３      雌ハウジング（他方のコネクタハウジング）
５      フード部
６      筒部
７      本体部
８      ばね部（弾性部）
１２    先端部
１３    基端部
１４ａ  内周面
１４ｂ  外周面
１５    傾斜面
１６    凸部
２１    内周面
２３    ロック突起
２５    一端部
２６    他端部
２７    外周面
２９    当接面
３０    ばね部本体（弾性部本体）
３１  外周面
３２  内周面
３３  第１連結部
３４  第２連結部
Ｄ      所定の径寸法
Ｋ      嵌合方向
Ｌ１    ロック突起と当接面との距離
Ｌ２    凸部と傾斜面との距離
【図１】
0005054581.tif 000002
【図２】
0005054581.tif 000003
【図３】
0005054581.tif 000004
【図４】
0005054581.tif 000005
【図５】
0005054581.tif 000006
【図６】
0005054581.tif 000007
【図７】
0005054581.tif 000008
【図８】
0005054581.tif 000009
【図９】
0005054581.tif 000010